(57)【要約】【課題】  片面２層ＤＶＤ−ＲＷディスクでは、一層のＤＶＤ−ＲＷディスクの場合に比較して、ＲＭＡ領域の枯渇によりディスクが使用不可能になり易い。ＰＣＡ領域を少なくして、その分をＲＭＡ領域に割り当てると、ＰＣＡ領域の容量が問題となる。【解決手段】  （Ｃ）のアドレスＺ０からアドレスＸまでの領域には適当なパワーで記録したダミーデータ記録領域４２５を形成することにより、そのダミーデータ記録領域４２５の透過率が、記録済みのＲＭＡ領域３１２と等しくなるため、二層目記録層３０２のＢで示した領域のうち、外周側の一部又は全部が記録可能領域となる。ここでは、二層目記録層３０２のアドレスＰからアドレスＷで示す領域４２６が、記録領域４２５に対応して、新たに記録可能となった領域である。これにより、ＲＭＡ領域の枯渇により書き換えが不能になるまでの期間を、従来に比し延長することができる。【選択図】            図２
2006236500.tif 000002
【特許請求の範囲】
【請求項１】
積層された複数の記録層の各々が、ユーザデータが記録されるデータ領域が配置され、かつ、前記データ領域とは別に、光ビームの最適記録パワーを求める処理を行うための試し書き記録領域と、記録管理情報を記録するための記録管理領域とが隣接して配置された構造の書き換え型の記録媒体に対して、光ピックアップから出射する光ビームを用いて前記試し書き記録領域に試し書き用信号を記録すると共に前記記録管理領域に前記記録管理情報を記録する記録方法において、
前記複数の記録層のうち、前記光ピックアップに対し最も近い位置にある一層目の記録層に対しては、前記試し書き記録領域の前記記録管理領域に隣接する位置から前記試し書き用信号の記録を開始し、前記一層目の記録層よりも前記光ピックアップに対し遠い方に位置する他の記録層に対しては、予め定めた位置から前記試し書き用信号の記録を開始する第１のステップと、
前記第１のステップで前記一層目の記録層の前記試し書き記録領域に記録した試し書き用信号を再生して得た再生信号の特性から取得した一層目の記録層の最適記録パワーの光ビームにより、前記一層目の記録層の前記記録管理領域に前記記録管理情報を記録する第２のステップと、
前記第２のステップによる前記一層目の記録層の記録管理領域のすべての範囲に前記記録管理情報を記録した後は、前記一層目の記録層の前記光ビームの出射側に隣接する二層目の記録層の記録管理領域に、前記第１のステップで前記二層目の記録層の前記試し書き記録領域に記録した試し書き用信号を再生して得た再生信号の特性から取得した二層目の記録層の最適記録パワーの光ビームにより、前記一層目の記録層の記録管理領域の記録済み領域を前記光ビームが透過するようにして前記記録管理情報を記録する第３のステップと、
前記一層目の記録層の前記試し書き記録領域内の、前記記録管理領域に隣接する位置からの一定領域の使用を制限する第４のステップと、
前記一定領域以外の前記一層目の記録層の前記試し書き記録領域に、前記試し書き用信号を記録する第５のステップと、
前記一定領域の配置情報に係る第１の情報、又は前記一定領域の使用を制限した結果として、前記二層目の記録管理領域を超えて新たに記録が可能になる領域の配置情報に係る第２の情報、又は前記第１及び第２の情報を、前記記録管理情報の一部として前記複数の記録層のうちのいずれか一の記録層の前記記録管理領域に記録する第６のステップと
を含むことを特徴とする記録方法。
【請求項２】
前記第４のステップは、前記一層目の記録層の前記試し書き記録領域内の、前記記録管理領域に隣接する位置からの前記試し書き用信号の記録済み領域を消去する第７のステップと、前記第１のステップで前記一層目の記録層の前記試し書き記録領域に記録した試し書き用信号を再生して得た再生信号の特性から取得した前記一層目の記録層の最適記録パワーの光ビームにより、前記一定領域にダミーデータを記録する第８のステップとからなることを特徴とする請求項１記載の記録方法。
【請求項３】
前記第４のステップは、前記一層目の記録層の前記試し書き記録領域内の、前記記録管理領域に隣接する位置からの前記試し書き用信号の記録済み領域のうち、前記一定領域を残して消去するステップであることを特徴とする請求項１記載の記録方法。
【請求項４】
前記第４のステップは、前記一層目の記録層の前記試し書き記録領域内の、前記記録管理領域に隣接する位置からの前記一定領域が、記録状態か未記録状態かを判定する第９のステップと、前記第９のステップで未記録状態であると判定されたときにのみ、前記一定領域を記録状態とする第１０のステップとからなることを特徴とする請求項１記載の記録方法。
【請求項５】
積層された複数の記録層の各々が、ユーザデータが記録されるデータ領域が配置され、かつ、前記データ領域とは別に、光ビームの最適記録パワーを求める処理を行うための試し書き記録領域と、記録管理情報を記録するための記録管理領域とが隣接して配置された構造の書き換え型の記録媒体に対して、光ピックアップから出射する光ビームを用いて前記試し書き記録領域に試し書き用信号を記録すると共に前記記録管理領域に前記記録管理情報を記録する記録装置において、
前記複数の記録層のうち、前記光ピックアップに対し最も近い位置にある一層目の記録層に対しては、前記試し書き記録領域の前記記録管理領域に隣接する位置から前記試し書き用信号の記録を開始し、前記一層目の記録層よりも前記光ピックアップに対し遠い方に位置する他の記録層に対しては、予め定めた位置から前記試し書き用信号の記録を開始する第１の記録手段と、
前記第１の記録手段で前記一層目の記録層の前記試し書き記録領域に記録した試し書き用信号を再生して得た再生信号の特性から取得した一層目の記録層の最適記録パワーの光ビームにより、前記一層目の記録層の前記記録管理領域に前記記録管理情報を記録する第２の記録手段と、
前記第２の記録手段による前記一層目の記録層の記録管理領域のすべての範囲に前記記録管理情報を記録した後は、前記一層目の記録層の前記光ビームの出射側に隣接する二層目の記録層の記録管理領域に、前記第１の記録手段で前記二層目の記録層の前記試し書き記録領域に記録した試し書き用信号を再生して得た再生信号の特性から取得した二層目の記録層の最適記録パワーの光ビームにより、前記一層目の記録層の記録管理領域の記録済み領域を前記光ビームが透過するようにして前記記録管理情報を記録する第３の記録手段と、
前記一層目の記録層の前記試し書き記録領域内の、前記記録管理領域に隣接する位置からの一定領域の使用を制限する使用制限手段と、
前記一定領域以外の前記一層目の記録層の前記試し書き記録領域に、前記試し書き用信号を記録する第４の記録手段と、
前記一定領域の配置情報に係る第１の情報、又は前記一定領域の使用を制限した結果として、前記二層目の記録管理領域を超えて新たに記録が可能になる領域の配置情報に係る第２の情報、又は前記第１及び第２の情報を、前記記録管理情報の一部として前記複数の記録層のうちのいずれか一の記録層の前記記録管理領域に記録する第５の記録手段と、
前記記録管理情報の一部として記録された前記第１の情報又は前記第２の情報を再生して、その再生情報に基づき、前記二層目の記録管理領域を超えて新たに記録が可能になる領域に、新たな記録管理情報を記録する第６の記録手段と
を有することを特徴とする記録装置。
【請求項６】
前記使用制限手段は、前記一層目の記録層の前記試し書き記録領域内の、前記記録管理領域に隣接する位置からの前記試し書き用信号の記録済み領域を消去する記録済み領域消去手段と、前記第１の記録手段で前記一層目の記録層の前記試し書き記録領域に記録した試し書き用信号を再生して得た再生信号の特性から取得した前記一層目の記録層の最適記録パワーの光ビームにより、前記一定領域にダミーデータを記録するダミーデータ記録手段とからなることを特徴とする請求項５記載の記録装置。
【請求項７】
積層された複数の記録層の各々が、ユーザデータが記録されるデータ領域が配置され、かつ、前記データ領域とは別に、光ビームの最適記録パワーを求める処理を行うための試し書き記録領域と、記録管理情報を記録するための記録管理領域とが隣接して配置された構造の書き換え型の記録媒体において、
前記複数の記録層のうち、前記光ビームの入射側に位置する一層目の記録層の前記試し書き記録領域内の、前記記録管理領域に隣接する位置からの一定領域の使用が制限されており、前記一定領域の配置情報に係る第１の情報、又は前記一定領域の使用を制限した結果として、前記二層目の記録管理領域を超えて新たに記録が可能になる領域の配置情報に係る第２の情報、又は前記第１及び第２の情報を、前記記録管理情報の一部として前記複数の記録層のうちのいずれか一の記録層の前記記録管理領域に記録されていることを特徴とする記録媒体。
【発明の詳細な説明】
【技術分野】
【０００１】
本発明は記録方法、記録装置及び記録媒体に係り、特に情報記録領域とレーザービームの最適記録パワーを求める試し書き記録領域と記録管理データを記録するための記録管理領域とが隣接して配置された記録層が複数積層された多層構造の書き換え型の光ディスクに対して情報を記録する記録方法、記録装置及び多層構造の書き換え型の記録媒体に関する。
【背景技術】
【０００２】
ＤＶＤ（Digital Versatile Disc）規格に従う追記型の光ディスクであるＤＶＤ−Ｒディスク及び書き換え可能型の光ディスクであるＤＶＤ−ＲＷディスクが、現在広く普及している。図７は一層のみの記録層を持つＤＶＤ−Ｒディスク又はＤＶＤ−ＲＷディスクの構造断面図を模式的に示す。図７において、ディスク１００は、内周から外周へ向かって、パワーキャリブレーション領域（Power Calibration Area;ＰＣＡ）１０１と、記録管理領域（Recording Management Area;ＲＭＡ）１０２と、リードイン領域（Lead-In）１０３と、データ領域（Data Area）１０４と、リードアウト領域（Lead-Out）１０５とに分割されている。
【０００３】
ＰＣＡ領域１０１とＲＭＡ領域１０２とは、Ｒ情報領域（R-Information area）１０６を構成している。データ領域１０４は、ユーザーデータが記録される領域である。リードイン領域１０３とリードアウト領域１０５は、データ領域１０４にアクセスする際の記録・再生ヘッド（光ピックアップ）のオーバーランに備える緩衝領域である。
【０００４】
光ディスクドライブ装置は、ＤＶＤ−Ｒディスク又はＤＶＤ−ＲＷディスク１００に対する本記録の開始より前に、対象となるディスク１００に対して記録条件を変えながら所定の信号を試し書きし、試し書きした領域を再生することにより取得される再生信号の特性に基づいて最適記録パワーを取得し、この最適記録パワーによって本記録を行うようにしている。これにより、良好な記録品質を得ることができる。
【０００５】
このように、試し書きした領域からの再生信号に基づいて、最適記録パワーを取得することをＯＰＣ（Optimum Power Control）と呼ぶが、図７のＰＣＡ領域１０１はＯＰＣを行うために用意されている領域である。また、ＲＭＡ１０２は、上述したリードイン領域１０３とデータ領域１０４とリードアウト領域１０５の記録状態の変遷を管理するための記録管理情報が記録される記録管理領域である。
【０００６】
ＲＭＡ１０２内には、記録管理情報が、データ領域１０４のユーザーデータと同様にブロック化されて誤り訂正符号化された、ＲＭＤ（Recording Management Data）ブロックを単位として記録される。ＲＭＡ内のデータ構造は、ＤＶＤ−ＲディスクとＤＶＤ−ＲＷディスクを順次記録モードで使用する場合と、ＤＶＤ−ＲＷディスクを重ね書きモードで使用する場合とのそれぞれで異なっている。
【０００７】
図８はＤＶＤ−ＲＷディスクを重ね書きモードで使用する場合のＲＭＡのデータ構造を示す。同図（Ａ）に示すように、ＲＭＡは、ＲＭＡの始まりを示すＲＭＡリードイン（Ｌｅａｄ−ｉｎ）２００と、５つのＲＭＡセグメント（Ｓｅｇｍｅｎｔ＃１〜＃５）２０１〜２０５と呼ばれる領域からなる。各ＲＭＡセグメント２０１〜２０５のそれぞれは、図８（Ｂ）に示すように、２８個のＲＭＤセット（Ｓｅｔ＃１〜＃２８）で構成されておリ、各ＲＭＤセットは、同図（Ｃ）に示すように、それぞれ５個のＲＭＤブロック（ｂｌｏｃｋ）で構成されている。
【０００８】
この５個のＲＭＤブロックには、各々同一の情報が格納されており、５重の多重書きとなっている。２８個のＲＭＤセットのうち、最初の１個には、フォーマット（Ｆｏｒｍａｔ）２形式のＲＭＤが格納されており、残りの２７個にはＦｏｒｍａｔ３形式のＲＭＤが格納される。Ｆｏｒｍａｔ３形式のＲＭＤには、実際の記録状態の変遷を管理する情報やデータ領域１０４内の欠陥ブロックに関する情報が格納される。２７個のＦｏｒｍａｔ３形式のＲＭＤセットのうち、ある時点で有効なＲＭＤセットはただ一つである。Ｆｏｒｍａｔ２形式のＲＭＤセットには、その有効なＲＭＤセットへのポインタが格納されている。
【０００９】
書き換え型であるＤＶＤ−ＲＷディスクには、ユーザーデータが何度も書き換えられて記録される。その度に、その時点で有効なＦｏｒｍａｔ３  ＲＭＤセットの５個のＲＭＤブロックの内容を書き換えることになる。ＤＶＤ−ＲＷディスクは書き換え可能なメディアであるが、その書き換え回数には制限があり、書き換え回数が増えると記録層の劣化により記録再生誤りが増加する。
【００１０】
新品ディスクでは、ＲＭＡ Ｓｅｇｍｅｎｔ＃１（図８（Ａ）の２０１）のＲＭＤ Ｓｅｔ＃１とＲＭＤ Ｓｅｔ＃２が使用される。ＲＭＤ Ｓｅｔ＃１には、Ｆｏｒｍａｔ２形式の５個のＲＭＤブロックが、ＲＭＤ Ｓｅｔ＃２には、Ｆｏｒｍａｔ３形式の５個のＲＭＤブロックが記録される。前述したように、Ｆｏｒｍａｔ２形式のＲＭＤセットであるＲＭＤ Ｓｅｔ＃１には、その有効なＲＭＤセットへのポインタが格納されるのに対し、Ｆｏｒｍａｔ３形式のＲＭＤセットであるＲＭＤ Ｓｅｔ＃２には、実際の記録状態の変遷を管理する情報やデータ領域１０４内の欠陥ブロックに関する情報が格納されるために、ＲＭＤ Ｓｅｔ＃１の書き換え回数に比べて、ＲＭＤ Ｓｅｔ＃２の書き換え回数がはるかに多く、このＲＭＤ Ｓｅｔ＃２を何度も書き換えているうちに、その中のＲＭＤブロックに訂正不能誤りのブロックが増えてくる。
【００１１】
ＲＭＤ Ｓｅｔ＃２中の３つのＲＭＤブロック以上に訂正不能誤りが発生した時点で、そのＲＭＤ Ｓｅｔ＃２の使用を止めて、次のＲＭＤ Ｓｅｔ＃３を使用する。このときＲＭＤ Ｓｅｔ＃１のＦｏｒｍａｔ２形式のＲＭＤ中に、ＲＭＤ Ｓｅｔ＃３へのポインタが格納される。
【００１２】
以下、同様の動作が繰り返されて、ＲＭＡ Ｓｅｇｍｅｎｔ＃１内のＲＭＤ Ｓｅｔ＃２８を使用し終わるか、あるいはＲＭＤ Ｓｅｔ＃２中のＲＭＤブロックのうち３個以上のＲＭＤブロックに訂正不能誤りが発生した時点で、ＲＭＤ Ｓｅｇｍｅｎｔ＃２（図８（Ａ）の２０２）の使用に移る。以下、同様にして、ＲＭＡ Ｓｅｇｍｅｎｔ＃５のＲＭＤ Ｓｅｔ＃２８を使い切るまで、ＤＶＤ−ＲＷディスクの書き換えができる。
【００１３】
さて、ユーザーが記録したい容量は年々増加しており、この要求に応えるべく２層の記録層が積層された構造のＤＶＤ−ＲディスクやＤＶＤ−ＲＷディスクの開発が進められている。図９はこの片面２層のＤＶＤ−ＲＷディスクの一例の概略構造断面図を示す。同図に示すように、片面２層のＤＶＤ−ＲＷディスクは、一層目記録層３０１と二層目記録層３０２とが、記録再生時の光ビームの光軸方向に積層されており、光ビームは一層目記録層３０１に集光されるか、又は一層目記録層３０１を透過して二層目記録層３０２に集光される。
【００１４】
上記の一層目記録層３０１の記録領域は、内周から外周へ向かって、ＰＣＡ領域３１１、ＲＭＡ領域３１２、リードイン領域（Ｌｅａｄ−Ｉｎ）３１３、データ領域（Ｄａｔａ  Ａｒｅａ）３１４及び中間領域（Ｍｉｄｄｌｅ  Ａｒｅａ）３１５に分割されている。また、上記の二層目記録層３０２の記録領域は、内周から外周へ向かって、ＰＣＡ領域３２１、ＲＭＡ領域３２２、リードアウト領域（Ｌｅａｄ−ｏｕｔ）３２３、データ領域（Ｄａｔａ  Ａｒｅａ）３２４及び中間領域（Ｍｉｄｄｌｅ  Ａｒｅａ）３２５に分割されている。すなわち、一層目記録層３０１は、図７に示した単層のＤＶＤ−ＲＷディスクに対して、リードアウト領域１０５が中間領域３１５に変更されている。また、二層目記録層３０２は、一層目記録層３０１とほぼ同じ構造であるが、リードイン領域３１３の替わりにリードアウト領域３２３が設けられる。
【００１５】
一層目記録層３０１は、内周側から外周側に向かって記録され、二層目記録層３０２は外周側から内周側に向かって記録される。二層目記録層３０２の記録持性は、一層目記録層３０１が記録か未記録かで異なってくることが知られている（例えば、特許文献１参照）。そこで、二層目記録層３０２に対する記録は、一層目記録層３０１の記録済みの領域を通過するレーザ光により行うことにすれば、記録特性の変化を気にする必要がなくなる。
【００１６】
この時、図１０に示すように、レーザ光の光束４０２は一層目記録層３０１を通して対物レンズ４０１により二層目記録層３０２に集光されて届くので、一層目記録層３０１が記録された領域の幅ｄ１に対して、二層目記録層３０２の記録可能な幅はｄ２で示すように狭いものとなる。これは、一層目記録層３０１と二層目記録層３０２の製造上の誤差を考慮すると更に狭くする必要がある。
【００１７】
図１１は片面２層ＤＶＤ−ＲＷディスクのＰＣＡ領域とＲＭＡ領域の部分を拡大して示す。ＲＭＡは一層目記録層３０１と二層目記録層３０２とに記録される。すなわち、一層目記録層３０１のＲＭＡ領域３１２に内周側から外周側へ記録管理情報を４１１で示すように記録した後で、二層目記録層３０２のＲＭＡ領域３２２に外周側から内周側へ記録管理情報を記録する。
【００１８】
ここで、上述のように、一層目記録層３０１の記録済みの領域４１１を通して二層目記録層３０２のＲＭＡ領域３２２に記録管理情報を記録する必要があるので、ＲＭＡ領域３２２には図１１のＢ、Ｃで示すような使用できない領域が生じる。すなわち、領域Ｃについては、一層目記録層３０１のＲＭＡ領域３１２の外周側に隣接した領域が未記録であり、その未記録部分を光束の一部が通過して二層目記録層３０２に到達する領域であるので、記録できない。また、領域Ｂについては、一層記録層３０１のＲＭＡ領域３１２の内周側にあるＰＣＡ領域３１１の記録が試し書きであって、通常とは異なるために、その部分を光束の一部が通過して二層目記録層３０２に到達する領域であるので記録は困難である。
【００１９】
一方、ＰＣＡ領域３１１及び３２１については、上記のＲＭＡ領域３１２及び３２２とは異なり、二層目記録層３０２のＰＣＡ領域３２１への試し書きを、一層目記録層３０１のＰＣＡ領域３１１が未記録である領域を通して行うものとしている。そして、一層目記録層３０１のＰＣＡ領域３１１については、ＰＣＡ領域３１１の外周側から４１３で示すように試し書き記録し、二層目記録層３０２のＰＣＡ領域３２１については、ＰＣＡ領域３２１の内周側から４１４で示すように試し書きに使用する。
【００２０】
一層目記録層３０１に対する記録時の最適パワーは、ＰＣＡ領域３１１に対して記録条件を変えながら所定の信号を試し書きし、試し書きした領域を再生することにより取得される再生信号の特性に基づいて取得し、二層目記録層３０２に対する記録時の最適パワーは、ＰＣＡ領域３２１に対して記録条件を変えながら所定の信号を試し書きし、試し書きした領域を再生することにより取得される再生信号の特性に基づいて取得する。
【００２１】
ここで、二層目記録層３０２のＰＣＡ領域３２１への試し書きは、一層目記録層３０１のＰＣＡ領域３１１が未記録である領域を通して行うことから、光ビームのパワーがＰＣＡ領域３１１を透過する際に減衰するので、その差分を予め実測してディスクに記録しておき、二層目記録層３０２の再生信号の特性の判断の際に、実測した差分による影響を補正するようにされている。なお、ＰＣＡ領域３１１及び３１２は、ＤＴＡ（Disc Testing Area）とも呼ばれる。
【００２２】
【特許文献１】特開２００４−３１０９９７号公報
【発明の開示】
【発明が解決しようとする課題】
【００２３】
ところで、図９に示した片面２層ＤＶＤ−ＲＷディスクのデータ領域３１４及び３２４に記録するユーザデータの容量は、片面２層のＤＶＤ−ＲＯＭと同等以上にしたいという要請がある。また、リードイン領域３１３の場所を片面２層ＤＶＤ−ＲＯＭと同じ場所にすることにより、ＤＶＤ−ＲＯＭプレイヤーでの再生互換がとり易いという利点がある。一方、そのようにリードイン領域３１３を配置すると、リードイン領域３１３の内周側にあるＰＣＡ領域３１１及びＲＭＡ領域３１２のエリアを広くとることができない。
【００２４】
ＰＣＡ領域３１１及びＲＭＡ領域３１２は、一層のみの記録層を持つＤＶＤ−ＲＷディスクと比較して、ディスク半径方向に同程度の幅を割り当てることになる。その場合、図１１から明らかなように、ＰＣＡ領域３１１及び３２１と、ＲＭＡ領域３１２及び３２２の容量は、一層のＤＶＤ−ＲＷディスクのＰＣＡ領域及びＲＭＡ領域の容量の２倍よりもかなり少ないものになってしまう。
【００２５】
一層のＤＶＤ−ＲＷディスクと同様に、片面２層ＤＶＤ−ＲＷディスクの重ね書きモードの場合には、ＲＭＡ領域３１２及び３２２は書き換え回数の増加に伴って、順次使用できない領域となっていく。すなわち、一層目のＲＭＡ領域３１２の内周側の領域から使い始めて、その部分の記録層が劣化して訂正不能誤りが増えると、順次、外周側の領域を使用する。一層目のＲＭＡ領域３１２を使い終わると、二層目のＲＭＡ領域３２２の外周側の領域から使い始めて、順次内周側の領域を使用する。最後に、図１１に示す、Ｂに隣接する領域で訂正不能誤りが多くなると、この片面２層ＤＶＤ−ＲＷディスクは使用不可能となる。
【００２６】
前述したように、片面２層ＤＶＤ−ＲＷディスクでは一層のＤＶＤ−ＲＷディスクに比べて、データ領域の容量が約２倍あるのに対して、ＲＭＡ領域は２倍よりもかなり少ない容量しかない。従って、片面２層ＤＶＤ−ＲＷディスクでは、一層のＤＶＤ−ＲＷディスクの場合に比較して、ＲＭＡ領域３１２、３２２の枯渇によりディスクが使用不可能になり易いという問題がある。
【００２７】
一方、ＰＣＡ領域３１１、３２１を少なくして、その分をＲＭＡ領域に割り当てると、ＰＣＡ領域の容量が問題となる。ＰＣＡ領域についても、一層の場合の２倍よりもかなり少ない容量しかないからである。
【００２８】
本発明は以上の点に鑑みなされたもので、書き換え型光記録媒体の管理情報記録領域の枯渇に至るまでの期間を延長し、もって、書き換え回数の上限値を上げることができるようにした記録方法、記録装置及び記録媒体を提供することを目的とする。
【課題を解決するための手段】
【００２９】
上記の目的を達成するため、第１の発明は、積層された複数の記録層の各々が、ユーザデータが記録されるデータ領域が配置され、かつ、データ領域とは別に、光ビームの最適記録パワーを求める処理を行うための試し書き記録領域と、記録管理情報を記録するための記録管理領域とが隣接して配置された構造の書き換え型の記録媒体に対して、光ピックアップから出射する光ビームを用いて試し書き記録領域に試し書き用信号を記録すると共に記録管理領域に記録管理情報を記録する記録方法において、
複数の記録層のうち、光ピックアップに対し最も近い位置にある一層目の記録層に対しては、試し書き記録領域の記録管理領域に隣接する位置から試し書き用信号の記録を開始し、一層目の記録層よりも光ピックアップに対し遠い方に位置する他の記録層に対しては、予め定めた位置から試し書き用信号の記録を開始する第１のステップと、第１のステップで一層目の記録層の試し書き記録領域に記録した試し書き用信号を再生して得た再生信号の特性から取得した一層目の記録層の最適記録パワーの光ビームにより、一層目の記録層の記録管理領域に記録管理情報を記録する第２のステップと、第２のステップによる一層目の記録層の記録管理領域のすべての範囲に記録管理情報を記録した後は、一層目の記録層の光ビームの出射側に隣接する二層目の記録層の記録管理領域に、第１のステップで二層目の記録層の試し書き記録領域に記録した試し書き用信号を再生して得た再生信号の特性から取得した二層目の記録層の最適記録パワーの光ビームにより、一層目の記録層の記録管理領域の記録済み領域を光ビームが透過するようにして記録管理情報を記録する第３のステップと、一層目の記録層の試し書き記録領域内の、記録管理領域に隣接する位置からの一定領域の使用を制限する第４のステップと、一定領域以外の一層目の記録層の試し書き記録領域に、試し書き用信号を記録する第５のステップと、一定領域の配置情報に係る第１の情報、又は一定領域の使用を制限した結果として、二層目の記録管理領域を超えて新たに記録が可能になる領域の配置情報に係る第２の情報、又は第１及び第２の情報を、記録管理情報の一部として複数の記録層のうちのいずれか一の記録層の記録管理領域に記録する第６のステップとを含むことを特徴とする。
【００３０】
この発明では、一層目の記録層の試し書き記録領域内の、記録管理領域に隣接する位置からの一定領域の使用を制限すると共に、その一定領域の配置情報に係る第１の情報、又は一定領域の使用を制限した結果として、二層目の記録管理領域を超えて新たに記録が可能になる領域の配置情報に係る第２の情報、又は第１及び第２の情報を、記録管理情報の一部として複数の記録層のうちのいずれか一の記録層の記録管理領域に記録するようにしたため、上記の一定領域の使用を制限した結果として、初期状態では使用できなかった二層目の記録管理領域を超えた領域を、新たに記録管理情報の記録が可能な領域とすることができる。
【００３１】
ここで、第２の発明は、上記の第１の発明の第４のステップは、一層目の記録層の試し書き記録領域内の、記録管理領域に隣接する位置からの試し書き用信号の記録済み領域を消去する第７のステップと、第１のステップで一層目の記録層の試し書き記録領域に記録した試し書き用信号を再生して得た再生信号の特性から取得した一層目の記録層の最適記録パワーの光ビームにより、一定領域にダミーデータを記録する第８のステップとからなることを特徴とする。
【００３２】
また、第３の発明は、上記の第１の発明の第４のステップは、一層目の記録層の試し書き記録領域内の、記録管理領域に隣接する位置からの試し書き用信号の記録済み領域のうち、一定領域を残して消去するステップであることを特徴とする。
【００３３】
また、第４の発明は、上記の第４のステップは、一層目の記録層の試し書き記録領域内の、記録管理領域に隣接する位置からの一定領域が、記録状態か未記録状態かを判定する第９のステップと、第９のステップで未記録状態であると判定されたときにのみ、一定領域を記録状態とする第１０のステップとからなることを特徴とする。
【００３４】
この発明では、一層目の記録層の試し書き記録領域内の、記録管理領域に隣接する位置からの一定領域が、未記録状態であると判定されたときにのみ、一定領域を記録状態とするようにしたため、初期状態では記録管理領域として使用できない二層目記録層の領域を、記録管理領域として使用可能にすることができる。
【００３５】
また、上記の目的を達成するため、第５の発明は、積層された複数の記録層の各々が、ユーザデータが記録されるデータ領域が配置され、かつ、データ領域とは別に、光ビームの最適記録パワーを求める処理を行うための試し書き記録領域と、記録管理情報を記録するための記録管理領域とが隣接して配置された構造の書き換え型の記録媒体に対して、光ピックアップから出射する光ビームを用いて試し書き記録領域に試し書き用信号を記録すると共に記録管理領域に記録管理情報を記録する記録装置において、第１乃至第６の記録手段と使用制限手段とを有することを特徴とする。
【００３６】
上記の第１の記録手段は、複数の記録層のうち、光ピックアップに対し最も近い位置にある一層目の記録層に対しては、試し書き記録領域の記録管理領域に隣接する位置から試し書き用信号の記録を開始し、一層目の記録層よりも光ピックアップに対し遠い方に位置する他の記録層に対しては、予め定めた位置から試し書き用信号の記録を開始する。上記の第２の記録手段は、第１の記録手段で一層目の記録層の試し書き記録領域に記録した試し書き用信号を再生して得た再生信号の特性から取得した一層目の記録層の最適記録パワーの光ビームにより、一層目の記録層の記録管理領域に記録管理情報を記録する。
【００３７】
上記の第３の記録手段は、第２の記録手段による一層目の記録層の記録管理領域のすべての範囲に記録管理情報を記録した後は、一層目の記録層の光ビームの出射側に隣接する二層目の記録層の記録管理領域に、第１の記録手段で二層目の記録層の試し書き記録領域に記録した試し書き用信号を再生して得た再生信号の特性から取得した二層目の記録層の最適記録パワーの光ビームにより、一層目の記録層の記録管理領域の記録済み領域を光ビームが透過するようにして記録管理情報を記録する。また、上記の使用制限手段は、一層目の記録層の試し書き記録領域内の、記録管理領域に隣接する位置からの一定領域の使用を制限する。
【００３８】
また、上記の第４の記録手段は、一定領域以外の一層目の記録層の試し書き記録領域に、試し書き用信号を記録する。上記の第５の記録手段は、一定領域の配置情報に係る第１の情報、又は一定領域の使用を制限した結果として、二層目の記録管理領域を超えて新たに記録が可能になる領域の配置情報に係る第２の情報、又は第１及び第２の情報を、記録管理情報の一部として複数の記録層のうちのいずれか一の記録層の記録管理領域に記録する。更に、上記の第６の記録手段は、記録管理情報の一部として記録された第１の情報又は第２の情報を再生して、その再生情報に基づき、二層目の記録管理領域を超えて新たに記録が可能になる領域に、新たな記録管理情報を記録する。
【００３９】
この発明では、第１の発明と同様に、上記の一定領域の使用を制限した結果として、初期状態では使用できなかった二層目の記録管理領域を超えた領域を、新たに記録管理情報の記録が可能な領域とすることができる。
【００４０】
また、上記の目的を達成するため、本発明は、積層された複数の記録層の各々が、ユーザデータが記録されるデータ領域が配置され、かつ、データ領域とは別に、光ビームの最適記録パワーを求める処理を行うための試し書き記録領域と、記録管理情報を記録するための記録管理領域とが隣接して配置された構造の書き換え型の記録媒体において、複数の記録層のうち、光ビームの入射側に位置する一層目の記録層の試し書き記録領域内の、記録管理領域に隣接する位置からの一定領域の使用が制限されており、一定領域の配置情報に係る第１の情報、又は一定領域の使用を制限した結果として、二層目の記録管理領域を超えて新たに記録が可能になる領域の配置情報に係る第２の情報、又は第１及び第２の情報を、記録管理情報の一部として複数の記録層のうちのいずれか一の記録層の記録管理領域に記録されていることを特徴とする。
【発明の効果】
【００４１】
本発明によれば、一層目の記録層の試し書き領域内の記録管理領域に隣接する一定領域の使用を制限した結果として、初期状態では使用できなかった二層目の記録管理領域を超えた領域を、新たに記録管理情報の記録が可能な領域とすることができるようにしたため、記録管理領域の枯渇により書き換えが不能になるまでの期間を、従来に比し延長することができる。
【００４２】
また、本発明によれば、一層目の記録層の試し書き記録領域内の、記録管理領域に隣接する位置からの一定領域が、未記録状態であると判定されたときにのみ、一定領域を記録状態とすることにより、初期状態では記録管理領域として使用できない二層目記録層の領域を、記録管理領域として使用可能にすることができ、これにより記録管理領域の枯渇により書き換えが不能になるまでの期間を延長することができる。
【発明を実施するための最良の形態】
【００４３】
次に、発明を実施するための最良の形態について、図面と共に説明する。図１は本発明になる記録装置の一実施の形態を含む記録再生システムのブロック図を示す。この記録再生システムは、上位装置１０と、本発明の記録装置の一実施の形態である光ディスク装置２０と、図９に示したような２層の記録層を持った片面２層ＤＶＤ−ＲＷディスク３０とを含む。上位装置１０は、光ディスク装置２０にＤＶＤ−ＲＷディスク３０に対する記録または再生を命令する。上位装置１０は、例えば、パーソナルコンピュータである。上位装置１０と光ディスク装置２０は同一筐体に収められていてもよい。このような形態は、例えば、光ディスクレコーダにおいて採用される。片面２層ＤＶＤ−ＲＷディスク３０は、光ディスク装置２０に装填される。
【００４４】
光ディスク装置２０は、装置全体を制御するシステムコントローラ２１と、片面２層ＤＶＤ−ＲＷディスク３０への記録と再生を行う記録再生回路２２と、記録再生回路２２に接続されて光ビームの放射及び反射ビームの受光を行う光ピックアップ２３と、システムコントローラ２１の制御プログラムが格納されたプログラムメモリ２４と、ＤＶＤ−ＲＷディスク３０へ記録及び再生するデータを一時的に保持するデータメモリ２５と、それらの構成要素を接続する内部バス２６と、上位装置１０との間のインタフェースを行うＩＦ２７とから構成される。記録再生回路２２は、光ピックアップ２３と共にＤＶＤ−ＲＷディスク３０（複数に記録層を持った情報記録媒体）に管理情報を記録する記録手段として機能する。
【００４５】
図２は、二つの記録層３０１及び３０２が積層された片面２層のＤＶＤ−ＲＷディスク３０のＲ情報領域（ＰＣＡ領域及びＲＭＡ領域）を示す。図２（Ａ）は比較的書き換え回数の少ない時点でのＲＭＡ領域とＰＣＡ領域の使用状況を示したものである。図２中のＸ点、Ｙ点、Ｚ点、Ｖ点、Ｗ点の物理アドレスは、ＤＶＤ−ＲＷ規格で予め決められた値である。
【００４６】
Ｘ点は、一層目記録層３０１のＰＣＡ領域３１１の最外周のアドレスであって、一層目記録層３０１のＲＭＡ領域３１２の最内周のアドレスでもある。また、Ｙ点は、二層目記録層３０２のＰＣＡ領域３２１の最内周のアドレス、Ｚ点は、一層目記録層３０１のＲＭＡ領域３１２の最外周のアドレス、Ｖ点は、二層目記録層３０２のＲＭＡ領域３２２の最外周のアドレス、Ｗ点は二層目記録層３０２のＲＭＡ領域３２２の最内周のアドレスである。
【００４７】
図３は、ＲＭＡ領域内のＲＭＡセグメントの配置を示したものである。１つのＲＭＡセグメントが２８個のＲＭＤセットからなり、１個のＲＭＤセットが５個のＲＭＤブロックからなる構造は、従来の一層の記録層のみを持つＤＶＤ−ＲＷディスクが書き換えモードで使用される時と同じである。本実施の形態により二層の記録層を持つＤＶＤ−ＲＷディスクを書き換えモードで使用する場合、初期状態では図３（Ａ）に示すように、一層目記録層にRMA Segment#1からRMA Segment#5のエリアが配置され、二層目記録層にRMA Lead-in５０１に続いてRMA Segment#6（５０２）のエリアが配置される。
【００４８】
前記図２（Ａ）は、一層目記録層３０１のＲＭＡ領域３１２において、ＲＭＡセグメントの＃１と＃２を使い終わり（訂正不能誤りの発生によって使用不可能となり）、さらにＲＭＡセグメントの＃３のＲＭＤセット＃２からＲＭＤセット＃９も使い終わって、ＲＭＤセット＃１とＲＭＤセット＃１０を有効なＲＭＤセットのペアとして使用している記録状態４２１を示す。
【００４９】
図４は、ＲＭＤブロック内に含まれる一つのフィールドの内容を示したものである。同図において、ＢＰ（Byte Point）０からＢＰ３までの４バイトには、一層目記録層のＰＣＡ領域３１１の最新のテストアドレスが格納される。一層目記録層３０１のＰＣＡ領域３１１では、図２（Ａ）に示すように、最外周のアドレスＸから内周側へと使用していく。図２（Ａ）の場合は、現在の最新のテストアドレスＸ１が上記のＢＰ０から３までの４バイトに登録される。
【００５０】
また、図４において、ＢＰ４からＢＰ７までの４バイトには、二層目記録層のＰＣＡ領域３２１の最新のテストアドレスが格納される。二層目記録層３０２はＰＣＡ領域３２１では、図２（Ａ）に示すように、最内周のアドレスＹから外周側へと使用していく。図２（Ａ）の場合は、現在の最新のテストアドレスＹ１が登録される。
【００５１】
また、図４において、ＢＰ８からＢＰ１１までの４バイトには、一層目記録層のＰＣＡ領域３１１の最外周のアドレスが登録される。初期状態においては、このアドレスは図２（Ａ）に示すように、ＤＶＤ−ＲＷ規格によって決まっている値Ｘである。そこで、値として”０”を格納しておく。新たに別の光ディスク装置にこの光ディスクが装填されて、ＲＭＤのこのフィールドを読み取った場合でも、このＢＰ８からＢＰ１１までの４バイトに”０”が格納されていれば、一層目記録層のＰＣＡ領域３１１の最外周のアドレスは規格通りにＸであると判断される。
【００５２】
再び図２に戻って説明する。図２（Ｂ）は、書き換え回数が比較的多くなった時点でのＲＭＡ領域３１２、３２２とＰＣＡ領域３１１、３２１の使用状況を示したものである。図２（Ｂ）は、一層目記録層３０１のＲＭＡ領域３１２のＲＭＡセグメント＃１から＃５までを４２２で示すように使い終わり、２層目記録層３０２のＲＭＡセグメント＃６のＲＭＤセット＃２からＲＭＤセット＃１４までも使い終わって、ＲＭＤセット＃１とＲＭＤセット＃１５を有効なＲＭＤセットのペアとして使用している記録状態４２３を示す。
【００５３】
この時点では、図２（Ｂ）に示すように、一層目記録層３０１のＰＣＡ領域３１１はアドレスＸ２まで、２層目記録層３０２のＰＣＡ領域３２１はアドレスＹ２まで使用しているので、それらの値を図４に示すＲＭＤブロック中のフィールドのＢＰ０〜ＢＰ３と、ＢＰ４〜ＢＰ７にそれぞれ格納する。
【００５４】
図２（Ｃ）は、書き換え回数がさらに多くなって、２層目記録層３０２のＲＭＡセグメント＃６の最後のＲＭＤセットである、ＲＭＤセット＃２８とＲＭＤセット＃１のペアを有効なＲＭＤセットのペアとして使用している記録状態４２４を示す。
【００５５】
ここで、本実施の形態では、一層目記録層３０１のＰＣＡ領域３１１の書き込み済み（試し書き領域として使用済み）の領域を消去する。消去については、ＰＣＡ領域３１１の書き込み済みの最内周アドレスＸ２の位置から図２（Ｃ）にＺ０で示すアドレスまで行う。消去は、適度なパワーの光ビームを記録層に照射することで行う。
【００５６】
更に、図２（Ｃ）のアドレスＺ０からＰＣＡ領域３１１の最外周のアドレスＸまで、ＯＰＣによって算出した最適な記録パワーでダミーデータを記録する。図２（Ｃ）に４２５で示す領域は、上記のダミーデータ記録領域を示す。なお、ダミーデータとして何らかの意味のあるデータを記録してもよい。記録パワーによってアモルファス状態になった記録マークと消去パワーによって結晶状態になった非記録マークとが、ユーザデータ等を記録した部分と同様に、適度に分布するような記録を行えばよい。
【００５７】
なお、必ずしも上記の消去を行う必要はないが、消去を行った場所は再び試し書きを行うことができる。また、消去を行うことで、予めランドプリピットとして記録されているアドレスに基づいて、アドレスＺ０が読み取り易くなるという効果もある。
【００５８】
また、消去をＰＣＡ領域３１１の書き込み済みの最内周アドレスＸ２の位置からＰＣＡ領域３１１の最外周アドレスＸの位置まで行い、その上で図２（Ｃ）のアドレスＺ０からアドレスＸまで、ＯＰＣによって算出した最適な記録パワーでダミーデータを記録するようにしてもよい。試し書きを行った部分は、一旦消去してから記録することで記録特性が良くなる。
【００５９】
図２（Ｃ）に示す記録状態では、図４に示すＲＭＤブロック中のフィールドのＢＰ８からＢＰ１１までの４バイトに格納する、一層目記録層３０１のＰＣＡ領域３１１の最外周アドレスとして、Ｚ０の値を格納する。また、図４に示すＲＭＤブロック中のフィールドのＢＰＯからＢＰ３までの４バイトに格納する、一層目記録層３０１の最新テストアドレスにもＺ０の値を格納し、ＢＰ４からＢＰ７までの４バイトに格納する、二層目記録層３０２の最新テストアドレスには、その時点で使用しているＰＣＡ領域３２１の最外周アドレスＹ３の値を格納する。
【００６０】
このように値を格納したＲＭＤブロックをＲＭＤセットの形でＲＭＡ領域３２２に記録する。これ以降、一層目記録層３０１のＰＣＡ領域３１１については、アドレスＺ０よりも内周側の領域のみが使用できる。以上の操作により、一層目記録層３０１のＰＣＡ領域３１１については、アドレスＺ０からアドレスＸまでの領域４２５が記録済みの領域となった。
【００６１】
従って、図２（Ｃ）に示すように、二層目記録層３０２のＢで示した領域のうち、外周側の一部又は全部が記録可能領域となる。すなわち、一層目記録層３０１のＰＣＡ領域３１１において、アドレスＺ０からアドレスＸまでの領域を試し書きに使用していた際には、この領域を光束が通過して二層目の記録層に合焦する範囲は、光束の透過率が管理できないために、記録再生には不適の場所であった。
【００６２】
これに対し、本実施の形態では、上記のアドレスＺ０からアドレスＸまでの領域には適当なパワーで記録したダミーデータ記録領域４２５を形成することにより、そのダミーデータ記録領域４２５の透過率が、記録済みのＲＭＡ領域３１２と等しくなるため、二層目記録層３０２のＢで示した領域のうち、外周側の一部又は全部が記録可能領域となる。ここでは、図２（Ｃ）に示す二層目記録層３０２のアドレスＰからアドレスＷで示す領域４２６が、記録領域４２５に対応して、新たに記録可能となった領域である。
【００６３】
図２（Ｄ）は、さらに書き換え回数が多くなって、２層目のＲＭＡ領域３２２に記録されたＲＭＡセグメント＃６の最後のＲＭＤセットである、ＲＭＤセット＃２８にも訂正不能誤りが発生したために、上記の新たに記録可能となった領域４２６に、図３（Ｂ）に示すように、ＲＭＡセグメント＃７（５０３）を記録した状態を示す。図２（Ｄ）では、ＲＭＡセグメント＃７のＲＭＤセット＃８とＲＭＤセット＃１を有効なＲＭＤセットのペアとして使用している状況である。
【００６４】
また、図２（Ｄ）において、一層目のＰＣＡ領域３１１は、アドレスＺ０よりも内周側しか使用できないので、アドレスＺ０からアドレスＸ４までの領域４２７が試し書きに使用されていることが分かる。また、二層目のＰＣＡ領域３２１は、図２（Ｃ）の最外周アドレスＹ３よりも更に外周側のアドレスＹ４まで試し書きに使用されている。
【００６５】
なお、アドレスＺ０に対応するアドレスＰの位置によっては、ＲＭＡセグメント＃７中に２８個のＲＭＳセットを配置できない場合がある。その場合には、ＲＭＡセグメント＃７中のＲＭＤセットの数を適当な数（例えば、８個）に限定する。
【００６６】
ところで、図４に示すＲＭＤブロック中のフィールドのＢＰ８からＢＰ１１までの４バイトに、”一層目のＰＣＡエリア最外周アドレス”、すなわちＰＣＡ領域３１１の最外周アドレスが格納されるが、”二層目のＲＭＡエリア最内周アドレス”、すなわちＲＭＡ領域３２２の最内周アドレスについては格納していない。二層目のＲＭＡ領域３２２の最内周アドレス（図２（Ｃ）、（Ｄ）の場合はＰ）は、一層目のＰＣＡ領域３１１の最外周アドレスＺ０から光ディスク装置２０のシステムコントローラ２１内の演算によって算出しうる値であるからである。
【００６７】
一方、図５に示すように、ＲＭＤブロック中のフィールドのＢＰ１２からＢＰ１５までの４バイトに、”二層目のＲＭＡエリアの最内周アドレス”も格納するようにしてもよい。この場合は、システムコントローラ２１内の演算が不要になるという利点がある。
【００６８】
あるいは、図４の”一層目のＰＣＡエリア最外周アドレス”の替わりに、”二層目のＲＭＡエリアの最内周アドレス”のみを格納するようにしてもよい。その場合、”一層目のＰＣＡエリア最外周アドレス”、すなわち、ＰＣＡ領域３１１の最外周アドレスＺ０は、二層目のＲＭＡ領域３２１の最内周アドレスＰから光ディスク装置２０のシステムコントローラ２１内の演算によって算出しうる値であるからである。
【００６９】
あるいは、上記のアドレスＺ０及びアドレスＰの値を予め規格値として取リ決めておき、ＰＣＡ領域として使用可能な一層目の最外周アドレスおよびＲＭＡとして使用可能な二層目の最内周アドレスが初期値から変更された旨の情報のみをＲＭＤブロックに格納するものとしてもよい。
【００７０】
以上のように、本実施の形態によれば、一層目のＰＣＡ領域３１１のＲＭＡ領域３１２に隣接する領域の一部に適当な記録パワーで記録を行い、その部分がＰＣＡ領域として使用されないように、ＲＭＤにその部分の位置に関する情報を格納して記録することで、初期状態ではＲＭＡ領域として使用できない、図２（Ａ）〜（Ｄ）に示した領域Ｂの一部又は全部を、ＲＭＡ領域として使用可能にしたため、ＲＭＡ領域の枯渇により書き換えが不能になるまでの期間を従来に比べて延長することができる。
【００７１】
次に、上記の実施の形態に変形例について説明する。上記の実施の形態では、一層目のＰＣＡ領域３１１のアドレスＸからアドレスＺ０までの領域には、最適記録パワーでダミーデータを記録した記録領域４２５を形成するものとして説明したが、ＰＣＡ領域３１１のアドレスＸからアドレスＺ０の領域が試し書きされた状態にあれば、そのままの状態にしておいてもよい。
【００７２】
この場合は、図４に示すＲＭＤブロック中のフィールドには、”一層目のＰＣＡエリア最外周アドレス”としてアドレスＺ０を格納して、ＲＭＡに記録する。このように記録されたＤＶＤ−ＲＷディスクを、一旦、光ディスク装置２０から取リ出し、再度、同じまたは別の光ディスク装置に装填した場合、光ディスク装置はＲＭＤブロックを再生して、”一層目のＰＣＡエリア最外周アドレス”としてアドレスＺ０を取得する。
【００７３】
さて、ＰＣＡ領域は、一層目は内周側から外周側へと、二層目は外周側から内周側へと使用する。ＰＣＡ領域を使用していくと、ＰＣＡ領域が枯渇してしまうので、ＰＣＡ領域の試し書きした領域を一旦消去する必要がある。
【００７４】
光ディスク装置２０は、その消去時に、一層目のＰＣＡ領域３１１のアドレスＺ０からアドレスＸまでの領域については消去しないで、そのままの状態にしておく。従って、消去された領域は再び試し書き用に使用できるが、アドレスＺ０からアドレスＸまでの領域については試し書き用には使用できない。過去に行った試し書きの結果が残っているからである。
【００７５】
一方、二層目のＲＭＡ領域３２２の最内周のアドレスＷから内周側のアドレスＰまでの領域にＲＭＤブロックを記録する際には、ＰＣＡ領域３１１のアドレスＺ０からアドレスＸまでの領域が消去状態ではないことが役に立つ。前述したように、図２及び図１１に示した領域Ｂは、元々は、一層記録層３０１のＲＭＡ領域３１２の内周側にあるＰＣＡ領域３１１の記録が試し書きであって、通常とは異なるために、その部分を光束の一部が通過して二層目記録層３０２に到達する領域であるので記録は困難であるとして記録できないものとしていた領域である。
【００７６】
しかし、試し書きをした一層目記録層３０１の領域の透過率は、適当な光ビームのパワーで記録した領域の透過率に近い。この変形例では、この点に着目して、図２（Ｃ）に示した二層目のＲＭＡ領域３２２の最内周側のアドレスＷからアドレスＰまでの領域に合焦する光束は、一層目のＰＣＡ領域３１１のアドレスＺ０からアドレスＸまでの領域を通過するので、この領域が消去状態の場合は、透過率が落ちるために、二層目記録層３０２のアドレスＷからアドレスＰの領域に適当なパワーで記録することができないが、上記のアドレスＺ０からアドレスＸまでの領域に試し書きを行っていれば、その部分の透過率は平均的には適当な光ビームのパワーで記録した領域の透過率に近いため、２層目記録層３０２のアドしスＷからアドレスＰの領域にほぼ適当なパワーで記録するとしたものである。
【００７７】
前記の実施の形態の、一層目記録層３０１のアドレスＺ０からアドレスＸまでの領域を最適記録パワーでダミーデータを記録した場合とこの変形例とを比較すると、この変形例の方が透過率のばらつきが大きい傾向にある。従って、２層目記録層３０２のアドレスＷからアドレスＰの領域への記録品質は劣るものの、前記の実施の形態で必要であった、一層目記録層３０１のアドレスＺ０からアドレスＸまでの領域を最適記録パワーでダミーデータを記録するために要する時間を、削減することが可能である。
【００７８】
なお、この変形例では実施の形態と同様に、ＲＭＤブロック中のフィールドに、”二層目のＲＭＡエリア最内周アドレス”も同時に格納するようにしてもよいし、あるいは”二層目のＲＭＡエリア最内周アドレス”のみを格納するようにしてもよい。
【００７９】
このように、この変形例によれば、一層目のＰＣＡ領域３１１のＲＭＡ領域３１２に隣接する領域の一部を試し書きした状態のままとして、その部分の消去を行わないようにＲＭＤにその部分の位置に関する情報を格納して記録することで、初期状態ではＲＭＡ領域として使用できない、図２のＢの領域の一部又は全部をＲＭＡ領域として使用可能にしたため、ＲＭＡ領域の枯渇により書き換えが不能になるまでの期間を延長することができる。さらに、そのための操作を短時間で行うことができる。
【００８０】
次に、本発明の更に別の変形例について説明する。この変形例ではＤＶＤ−ＲＷディスクにアドレスＺ０やＰを記録しない点に特徴がある。この変形例では、２層目のＲＭＡ領域３２２に記録しているＲＭＡセグメント＃６の最後のＲＭＤセットである、ＲＭＤセット＃２８にも訂正不能誤りが発生した場合に、光ディスク装置２０は、一層目のＰＣＡ領域３１１のＲＭＡ領域３１２に隣接する領域であるアドレスＸからアドレスＺ０の記録状態をＲＭＤに格納されている情報または再生ＲＦ信号を用いてＲＭＤブロックの情報を確認する。
【００８１】
ＲＭＤブロック内のあるフィールドには、図６のような情報が格納されている。同図において、ＢＰ０からＢＰ３までの４バイトには、一層目記録層のＰＣＡ領域３１１の最新のテストアドレスが格納される。一層目のＰＣＡ領域３１１では、最外周のアドレスから内周側へと使用していく。また、図６において、ＢＰ４からＢＰ７までの４バイトには、二層目記録層のＰＣＡ領域３２１の最新のテストアドレスが格納される。二層目のＰＣＡ領域３２１では、最内周のアドレスＹから外周側へと使用していく。
【００８２】
光ディスク装置２０は上記の場合は、ＲＭＤブロック内のあるフィールドのＢＰ０からＢＰ３までの４バイトから一層目のＰＣＡ領域３１１の最新のテストアドレスを読み取る。この最新のテストアドレスが、図２（Ｃ）に示したアドレスＺ０よりも内周側のアドレスであれば、アドレスＸからアドレスＺ０の領域は記録状態である（試し書きされている）ことが分かる。再生ＲＦ信号を用いる場合には、アドレスＸからアドレスＺ０の領域で再生ＲＦ信号の有無を検出する。
【００８３】
記録状態にない（すなわち、消去状態又は未使用状態）と判断した場合、光ディスク装置２０は、アドレスＸからアドレスＺ０の領域内の消去状態にある部分に、試し書きまたは最適記録パワーでのダミーデータの記録を行う。記録状態であると判断した場合には、このステップはスキップする。その後、二層目のＲＭＡ領域３２２のアドレスＷよりも内周側の領域にＲＭＤブロックの記録を行う。
【００８４】
一旦、ＤＶＤ−ＲＷディスクが光ディスク装置２０から取り出されて、再度装填された場合に、一層目のＰＣＡ領域３１１のＲＭＡ領域３１２に隣接するアドレスＸからアドレスＺ０の領域が記録状態にあるという保証はない。従って、この変形例によれば、ＤＶＤ−ＲＷディスクが装填される度に、アドレスＸからアドレスＺ０までの領域の記録状態を確認して、消去状態にあれば、記録を行う必要がある。しかし、この変形例によれば、ＲＭＤブロックにアドレスＺ０やアドレスＰを記録するという手間が不要であるという利点がある。
【００８５】
なお、本発明は以上の実施の形態及び変形例に限定されるものではなく、例えば、本発明が適用される記録媒体は、書き換え型の片面２層ＤＶＤ−ＲＷディスクであるものとして説明したが、本発明は３層以上の記録層が積層された書き換え型光ディスクにも適用することができる。また、本発明は、以上の実施の形態の記録方法をコンピュータにより実現するコンピュータプログラムも含むものである。
【図面の簡単な説明】
【００８６】
【図１】本発明記録装置の一実施の形態を含む記録再生システムのブロック図である。
【図２】二層の記録層を持ったＤＶＤ−ＲＷディスク３のＲ情報領域における記録の変遷状態の説明図である。
【図３】ＲＭＡ領域内のＲＭＡセグメントの配置を示したものである。
【図４】ＲＭＤブロック内に含まれる一つのフィールドの内容の一例を示す図である。
【図５】ＲＭＤブロック内に含まれる一つのフィールドの内容の他の例を示す図である。
【図６】ＲＭＤブロック内に含まれる一つのフィールドの内容の更に他の例を示す図である。
【図７】一層のみの記録層を持つＤＶＤ−ＲディスクまたはＤＶＤ−ＲＷディスクの構造図である。
【図８】ＤＶＤ−ＲＷディスクを重ね書きモードで使用する場合のＲＭＡのデータ構造図である。
【図９】２層ＤＶＤ−Ｒディスクの記録領域を示す構造図である。
【図１０】レーザ光が一層目を通して二層目に届く際に光束が集光される様子を示す図である。
【図１１】ＰＣＡ領域とＲＭＡ領域の部分とその記録範囲を示す拡大図である。
【符号の説明】
【００８７】
１０  上位装置
２０  光ディスク装置
２１  システムコントローラ
２２  記録再生回路
２３  光ピックアップ
２４  プログラムメモリ
２５  データメモリ
２６  内部バス
２７  インタフェース（ＩＦ）
３０  片面２層ＤＶＤ−ＲＷ
３０１  一層目記録層
３０２  二層目記録層
３１１、３２１  ＰＣＡ領域
３１２、３２２  ＲＭＡ領域
４２５  ダミーデータ記録領域
Ｘ  一層目のＰＣＡ領域の最外周のアドレス（一層目のＲＭＡ領域の最内周のアドレス）
Ｙ  二層目のＰＣＡ領域の最内周のアドレス
Ｚ  一層目のＲＭＡ領域の最外周のアドレス
Ｖ  二層目のＲＭＡ領域の最外周のアドレス
Ｗ  二層目のＲＭＡ領域の最内周のアドレス
Ｚ０  ダミーデータ記録領域の最内周アドレス
【図１】
2006236500.tif 000003
【図２】
2006236500.tif 000004
【図３】
2006236500.tif 000005
【図４】
2006236500.tif 000006
【図５】
2006236500.tif 000007
【図６】
2006236500.tif 000008
【図７】
2006236500.tif 000009
【図８】
2006236500.tif 000010
【図９】
2006236500.tif 000011
【図１０】
2006236500.tif 000012
【図１１】
2006236500.tif 000013